(57)【特許請求の範囲】
【請求項１】
極性溶媒で抽出して得られたユーカリ抽出物を、シート乾燥重量に対して０．０００２重量％〜０．２重量％含有することを特徴とするティッシュペーパー及びトイレットペーパーから選択される保湿シート状製品。
【請求項２】
極性溶媒で抽出して得られたユーカリ抽出物を、シート乾燥重量に対して０．０００２重量％〜０．２重量％含有し、かつ含浸液を１００重量％から４００重量％含有することを特徴とする保湿ウェットティッシュペーパー。
【請求項３】
液透過性のトップシート、液不透過性のバックシート、更にこれらのシート間に配置された吸収体とが一体に形成されている使いすておむつであって、トップシートは、極性溶媒で抽出して得られたユーカリ抽出物を、シート乾燥重量に対して０．０００２重量％〜０．２重量％含有することを特徴とする使いすておむつ。
【発明の詳細な説明】
【０００１】
【発明の属する技術分野】
本発明は、ユーカリ属植物の極性有機溶剤抽出物を含有する保湿シート状製品、詳しくは皮膚に対する保湿効果を有するティシュペーパー、トイレットペーパー、保湿ウェットティシュペーパー、及び、使いすておむつに関する。
【０００２】
【従来の技術】
約６００種からなるフトモモ科ユーカリ属植物は、世界各地の温暖な地域に分布する常緑高木の広葉樹で、特に、ユーカリプタスグロブラス〔学名：Eucaryptus globulus〕がユーカリノキとして良く知られている。
【０００３】
近年、ユーカリはパルプ用材とすることを目的として、オーストラリア、ニュージーランド、ベトナム等で積極的に植林されているが、パルプ用材、公園樹、庭園樹、建築材、器具材、土木用材、船舶材等の用途の他に、水蒸気蒸留により得られるユーカリ精油が、薬用化粧品、日用品や香料に使用されてきた。
【０００４】
皮膚の最大の役割は、外界からの有害物質の侵入を防いだり、生体に必要な物質が外部に失われるのを防ぐという生体と外界を隔てるバリアとして働くことであり、アミノ酸などの自然保湿因子や角質細胞間脂質などが水分を結合し、皮膚の柔軟性を保っている。
【０００５】
一般に、かさついた皮膚の角質層は、バリア機能が劣っており、皮膚の柔軟性を保つのに必要な水分保持能や吸水能も低下が見られ、かゆみやアレルギー症状を生じ易い。一方、すべすべとしてしなやかな皮膚の角質層は、バリア機能に優れ、角質機能も良い。
【０００６】
近年、皮膚のバリア機能を保つことを目的としたさまざまな保湿剤が開発され、医薬部外品や化粧品の成分として用いられているが、ティシュペーパー、トイレットペーパー及びウェットティシュペーパー等の家庭用品、おしりふき等の衛生用品、乳幼児或いは成人失禁者用の使いすておむつ及び生理用ナプキン等を構成する衛生用品用シートに於いても、人の皮膚に直接触れる製品である為、本来の機能に加えて保湿性等の機能性付加が求められている。
【０００７】
家庭用品の例としては、風邪や花粉症時の鼻部分の肌荒れ、炎症等を軽減する為の試みとして、保湿剤含有製品が提案され（特開平１１−２３５２８８）、既にアロエエキス入りローションティシュペーパーが上市されている。
【０００８】
アロエエキスは、おむつかぶれの防止・改善を目的として、国内ではおしりふき等の衛生用品に、米国では乳児用使いすておむつを構成する衛生用品用シートにも用いられている。
【０００９】
【発明が解決しようとする課題】
前記保湿剤含有シート状製品には、高い保湿性能と安全性が必要とされる為、植物由来の保湿剤が用いられるが、これまで提案されているものは保湿効果及び経済性の面で十分とは言えない。そこで、本発明の課題は、天然物由来の保湿剤を含有した安全性が高く、保湿効果及び経済性の問題の無いティッシュペーパー、トイレットペーパー、保湿ウェットティッシュ及び使いすておむつを提供することにある。
【００１０】
【課題を解決するための手段】
かかる課題を解決するため、本発明は以下の構成を採用する。即ち、本発明は、「極性溶媒で抽出して得られたユーカリ抽出物を、シート乾燥重量に対して０．０００２重量％〜０．２重量％含有することを特徴とするティッシュペーパー及びトイレットペーパーから選択される保湿シート状製品」である。
また、「極性溶媒で抽出して得られたユーカリ抽出物を、シート乾燥重量に対して０．０００２重量％〜０．２重量％含有し、かつ含浸液を１００重量％から４００重量％含有することを特徴とする保湿ウェットティッシュペーパー」である。
さらに、「液透過性のトップシート、液不透過性のバックシート、更にこれらのシート間に配置された吸収体とが一体に形成されている使いすておむつであって、トップシートは、極性溶媒で抽出して得られたユーカリ抽出物を、シート乾燥重量に対して０．０００２重量％〜０．２重量％含有することを特徴とする使いすておむつ」である。
【００１１】
前記本発明において、ユーカリ抽出物の含有量はシート乾燥重量当たり０．０００２重量％〜０．２重量％である。
【００１２】
本発明者らは、前記課題を解決する為に鋭意検討した結果、ユーカリ抽出物を保湿剤として用いたシート状製品は、高い保湿性及び経済性を備え、しかも長期にわたり安全性が高いことを見出し、本発明に到達したものである。
【００１３】
【発明の実施の形態】
以下、本発明の構成について詳述する。本発明で使用するユーカリエキスの原料としては、フトモモ科ユーカリ属植物であれば特に限定されないが、単独或いは２種以上を組み合わせて用いられる。植物体の部位としては、特に限定されないが、採取が容易な枝葉が好ましく、特に葉が好ましい。
【００１４】
本発明で言うユーカリ抽出物とは、ユーカリの葉、枝などを極性溶媒で抽出して得られる抽出物を言う。また、使用に際しては、抽出した溶媒の濃厚溶液として使用し、この液をユーカリエキスと称する。
極性溶媒としては、アルコール類、グリコール類、ケトン類、エステル類、エーテル類、ハロゲン化炭素類などが挙げられる。低級アルコール類としては、エタノール、メタノール及びプロパノールなどが挙げられる。グリコール類としては、エチレングリコール、ジエチレングリコール、ブチレングリコール及びプロピレングリコール等が挙げられる。ケトン類としては、アセトン、メチルエチルケトン、エステル類としては、酢酸エチル、酢酸プロピル、ギ酸エチルなどが挙げられる。
これらの溶媒は単独或いは水溶液として用いても良く、任意の２種または３種以上の混合溶媒として用いても良い。上記溶媒の中では、エタノール、ブチレングリコール及びプロピレングリコールが更に好ましい。
【００１５】
ユーカリエキスは例えば、以下のようにして得られる。ユーカリ属植物葉の乾燥物を低級アルコール又はグリコール類で粗抽出する。粗抽出に先立って、葉の乾燥物を適当な大きさに粉砕したり、粉末化するなど、溶媒抽出し易いように前処理する。
【００１６】
抽出方法としては、一般に用いられている方法で良く、例えば有機溶媒中にユーカリ葉を長時間浸漬する方法、有機溶媒の沸点以下の温度で加温、撹拌しながら抽出を行い、濾過してエキスを得る方法等がある。
【００１７】
上記抽出操作中、保湿性のより高いユーカリエキスを得るには、ユーカリ葉を直接、低級アルコールまたはグリコール類で抽出するよりも、ユーカリ葉を乾燥後、非極性有機溶媒で脱脂し、精油を除去してから低級アルコール又はグリコール類で抽出することが好ましい。この操作は、水蒸気蒸留により精油を除去した後、残渣に低級アルコール又はグリコール類を添加して抽出する方法でも行うことが出来る。前記非極性溶媒としては、ヘキサン、ペンタン、ヘプタン等のアルカンが挙げられる。
【００１８】
ユーカリエキスは、そのままでも保湿剤として用いることが出来るが、当該エキスを、適当な吸着剤や包接剤を用いて、色や臭いを除去後、使用することも出来る。吸着剤としては、活性炭、セライト、シリカゲル、けいそう土及びゼオライト等が挙げられる。包接剤としては、サイクロデキストリン、セルロース等が挙げられる。
【００１９】
また、得られたユーカリエキスを更に、適当な分離手段、例えば分配抽出、ゲル濾過法、シリカゲルクロマト法又は逆相若しくは順相の高速液体クロマト法により保湿性の高い画分を分画して用いることも出来る。
【００２０】
かくして得られるユーカリ抽出物は、通常水又は水−低級アルコール等の溶媒に溶解したユーカリエキスを保湿剤溶液として使用することが好ましい。ユーカリエキスに於けるユーカリ抽出物濃度は、０．１重量％〜１０重量％が製造及び保存上の観点から好ましいが、特にこれに限定されない。
【００２１】
ユーカリエキス、すなわちユーカリ抽出物を含有する保湿剤溶液は単独でも十分な効果が得られるが、他の１種類以上の保湿剤を同時に配合することにより、更に優れた保湿性が得られる。また、用途により、抗菌剤も配合することが出来る。
【００２２】
ここで用いられる保湿剤としては、アロエエキス、延命草エキス、オトギリソウエキス、オオムギエキス、オレンジエキス、海藻エキス、カミツレエキス、キューカンバエキス、コンフリーエキス、ゴボウエキス、シイタケエキス、ジオウエキス、シソエキス、セージエキス、デュークエキス、冬虫夏草エキス、ドクダミエキス、ハタケシメジエキス、ビワエキス、ブドウ葉エキス、フユボダイジュエキス、プルーンエキス、ヘチマエキス、ボタンピエキス、マイカイエキス、モモノハエキス、ユリエキス、リンゴエキス、アーモンド油、オリーブ油、ゴマ油、サフラワー油、ジメチルシリコーン、シリコーン油、変性シリコーン、大豆油、椿油、ヒマシ油、ホホバ油、ミンク油、ヤシ油、アラビノース、ガラクトース、キシロース、グルコース、ショ糖、ソルビトール、フルクトース、マルトース、マルチトール、マンノース、ミツロウ、ヒアルロン酸、プラセンターエキス、ラムノース、キシロビオース、キシロオリゴ糖、チューベローズポリサッカライド、トリサッカライド、トレハーロース、エチレングリコール、可溶性コラーゲン、グリセリン、グリチルリチン、コンドロイチン硫酸、ジグリセリン、スクワラン、セラミド類似化合物、トリグリセリン、尿素、ビタミンＣリン酸エステルカルシウム塩、ビタミンＥ、ピロリドンカルボン酸ナトリウム、ヒノキチオール、１，３−ブチレングリコール、プロピレングリコール、流動パラフィン及びワセリン等が挙げられるが、これらのうち、アロエエキス、延命草エキス、オトギリソウエキス、コンフリーエキス、シソエキス、セージエキス、セラミド類似化合物、ドクダミエキス、ハタケシメジエキス、ビワエキス、フユボダイジュエキス、ボタンピエキス、ヒマシ油、ホホバ油、ヒアルロン酸、プラセンターエキス、ラムノース、キシロオリゴ糖、トレハーロース、可溶性コラーゲン、グリセリン、コンドロイチン硫酸、スクワラン、尿素、１，３−ブチレングリコール及びプロピレングリコールがより好ましく、アロエエキス、キシロオリゴ糖、セラミド類似化合物、ハタケシメジエキス、尿素、１，３−ブチレングリコール及びプロピレングリコールが特に好ましい。
【００２３】
抗菌剤としては、イソプロピルメチルフェノール、エデト酢酸、塩化ベンザルコニウム、オクトピロックス、感光色素１０１及び２０１、クロロヘキシジン、サリチル酸、ジンクピリチオン、ソルビン酸カリウム、パラベン及びビオゾール等が挙げられる。
【００２４】
本発明で用いるユーカリエキスには、上記成分の他に、本発明の効果を損なわない範囲内で、医薬部外品及び化粧品等に一般的に用いられる各種成分、ゲル化剤、乳化剤、増粘剤、防腐剤、酸化防止剤、安定化剤、変色防止剤、香料及び着色剤を添加配合することが出来る。
【００２５】
上記のようにして得られたユーカリエキスを用いて、本発明に於けるティシュペーパー、トイレットペーパー、保湿ウェットティシュペーパー、及び、使いすておむつを得ることが出来る。
【００２７】
本発明のティシュペーパー、保湿ウェットティシュペーパー及びトイレットペーパーを用いることにより、ユーカリ抽出物が皮膚の角質層の水分を適度に保持し、皮膚のバリア機能を高め、風邪や花粉症時に於ける鼻部分の肌荒れ及び炎症、尿便中に含まれる有害成分によるおむつかぶれや肌荒れ、痔等による肛門部の炎症等の予防・軽減が可能となる。
【００２８】
使いすておむつ或いは吸収性物品としては、これを着用した際におむつかぶれが生じにくいことがこれらの製品に強く求められる性質であって、当該業者はおむつかぶれを引き起こす様々は原因を排除、或いは抑制する方法を考案している。
【００２９】
本発明の、使いすておむつを用いることにより、ユーカリ抽出物が皮膚の角質層の水分を適度に保持し、充分に形成された角質層がおむつの肌に対する物理的刺激を緩和したり、或いは尿便中に含まれる有害成分の侵入に対してバリア機能を高め、おむつかぶれや肌荒れ等の予防・軽減が可能となる。
【００３０】
以下に、本発明に於けるティッシュペーパー及びトイレットペーパー（以下、家庭用紙と呼ぶ）、保湿ウェットティシュペーパー、使いすておむつの具体的な製造法を記述するが、特にこれに限定されるものではない。
【００３１】
本発明に係るティシュペーパー及びトイレットペーパーは、ティシュペーパーやトイレットペーパーの原紙にユーカリ抽出物を特定量含有させてなるものである。
【００３２】
本発明の家庭用紙は、その抄紙中であってウェブの乾燥前の湿潤状態か、或いは抄紙後の乾燥した原紙にユーカリエキスを従来公知の外添法により付与することによって製造される。外添法の具体例としては、抄紙中の湿潤状態のウェブに処理液をスプレーしたり、抄紙後の乾燥した原紙に処理液をスプレーしたり、グラビア印刷ロールによって処理液を塗布したり、原紙を処理液に浸漬する等の方法をあげることが出来る。抄紙後の乾燥した原紙に付与する場合においては、抄紙機中でオンラインで加工してもよいし、原紙を巻取として製造後、オフラインで付与してもよい。
【００３３】
本発明に係る家庭用紙は、そのシート中にユーカリ抽出物を特定量含有されていれば所望の効果を得ることが出来るが、更にその目的に応じてシートの風合いや強度、吸水性、或いはその他の特性を向上させるために、従来公知のさまざまな添加剤を内添法、或いは外添法により付与することが出来る。添加剤の一例としては、乾燥紙力増強剤、湿潤紙力増強剤、柔軟剤、界面活性剤、流動パラフィンやスクワラン等の炭化水素類、オリーブ油等の植物油、カルナバロウ等のロウ類、ポリエチレングリコール等の水溶性ワックス等が挙げられる。これら添加剤は、ユーカリエキスとは別の工程で付与してもよいし、ユーカリエキスとこれらの添加剤を混合して付与してもよい。
【００３４】
本発明に係る家庭用紙は、その原紙坪量に対し、ユーカリ抽出物を０．０００２重量％から０．２重量％含有させたものである。本発明で言う含有量とは、原紙の乾燥重量に対する、ユーカリ抽出物純成分の重量％を言う。
含有量が０．０００２重量％未満であると、ユーカリ抽出物の含有量が少なすぎ、十分な効果が得られない。逆にユーカリ抽出物が０．２重量％を超えて含有させても、含有量に見合った効果は期待出来ず、コストが高いものとなってしまう。経済性と保湿効果を考慮して、更に好ましくは、０．００２〜０．１５重量％である。
【００３５】
本発明に係る保湿ウェットティシュは、ウェットティシュの原紙にユーカリ抽出物を特定量含有させて保湿ウェットティシュ基材とした後、従来公知のウェットティシュ含浸液を含浸させて製造するか、或いはユーカリエキスを配合した保湿ウェットティシュ含浸液を従来公知のウェットティシュ用基材に含浸して製造される。
【００３６】
保湿ウェットティシュ基材を製造する方法としては、従来公知のウェットティシュ基材に、従来公知の外添法を用いて製造することが出来る。従来公知のウェットティシュ基材としては、例えば、パルプ、レーヨン、ポリエステル、アクリル等の繊維を１種類或いは複数種類使用して、湿式法、乾式法、エアーレイ法等従来公知の製法により製造された不織布、紙等のシート基材、或いはそれらを複合したシートを使用することが出来る。
【００３７】
外添法の一例としては、例えば、シートにユーカリエキスを含有した処理液をスプレーしたり、グラビア印刷ロールによってユーカリエキスを含有した処理液を塗布したり、シートを処理液に浸漬する等の方法が挙げられる。これらは、シートの製造ライン中でオンラインで加工してもよいし、シートを製造後、オフラインで付与してもよい。
【００３８】
保湿ウェットティシュ含浸液を製造する方法としても、従来公知の含浸液を用いることが出来る。例えば、ユーカリエキスを精製水に希釈して含浸液としてもよいし、ユーカリエキスに加えて、プロピレングリコールやエタノール等のアルコール類、パラベン、塩化ベンザルコニウム、安息香酸塩等の防黴剤等を、所望の濃度で１種類或いは複数種類混合して配合した含浸液を使用することも出来る。各種薬品の添加順、添加量等は、その薬品の特性、製造工程に応じて任意に決めることが出来る。
【００３９】
更に、含浸液へのユーカリエキスの配合順、配合量等も、本発明に示す配合量の範囲で、任意に決めることが出来るし、更にユーカリエキスを配合しない含浸液をウェットティシュに含浸した後、ユーカリエキスのみを含浸法、スプレー法等により所定量付与してもよい。
【００４０】
本発明に係る保湿ウェットティシュは、そのウェットティシュ基材中或いはウェットティシュ含浸液中にユーカリ抽出物を特定量含有されていれば所望の効果を得ることが出来る。一般にウェットティシュ基材へのウェットティシュ含浸液の含浸量は、ウェットティシュ基材の重量に対して１００重量％から４００重量％であるが、どちらの方法により製造したとしても、ウェットティシュ基材にウェットティシュ含浸液を含浸した時点で、シート中およびシート間に介在する含浸液のそれぞれにユーカリ抽出物が分散して存在し、使用時に効果を付与することが出来るものとなる。
【００４１】
本発明に係る保湿ウェットティシュは、その乾燥重量に対し、ユーカリ抽出物を０．０００２重量％から０．２重量％含有させたものである。含有量が０．０００２重量％未満であると、ユーカリ抽出物の含有量が少なすぎ、十分な効果が得られない。逆にユーカリ抽出物が０．２重量％を超えて含有させても、含有量に見合った効果は期待出来ず、コストが高いものとなってしまう。経済性と保湿効果を考慮して、更に好ましくは０．００２〜０．１５重量％である。
【００４２】
本発明に於ける乳児用或いは成人失禁者用の使いすておむつは、液透過性のトップシート、液不透過性のバックシート、更にこれらのシート間に配置された吸収体とが一体化されて形成されており、必要に応じて伸縮弾性部材、固定用のテープを備えていたり、予めパンツ型に成形された形状を有するものもある。
【００４３】
液透過性のトップシートとしては、ポリエチレン、ポリプロピレン、ポリエステル、その他の熱可塑性樹脂を原料とした合成繊維からなる液体透過性不織布、或いは織布を用いることができ、坪量は１０〜５０ｇ／ｍ2であって、１５〜２５ｇ／ｍ2であることが最も好ましい。
【００４４】
また、液不透過性のバックシートとしては、ポリエチレン、ポリプロピレン等からなる坪量が１５〜３５ｇ／ｍ2程度の液不透過性のシートを用いることが出来るが、好ましくは微孔を設けたポリエチレンシート、或いは熱可塑性樹脂にフィラーを加えて延伸した透湿性のある液体不透過性のシートを用いて透湿性を付与すると、蒸れる心配がなくなりより快適である。
【００４５】
また、吸収体は、少なくとも親水性繊維と高分子吸収材から形成され、本発明の目的を達成する範囲で任意の形状とすることが可能である。
親水性繊維としては、木材パルプからなるフラッフパルプが有利に用いられ、その他にも綿、麻等の天然繊維、レーヨン繊維等を用いることができ、更に、必要に応じて熱融着繊維配合することも出来る。また、全体をティシュで包み込んだ積層構造にすることが好ましい。
【００４６】
本発明において、保湿剤含有シートを用いる上で最も好ましい例としては、液透過性のトップシートとして用いるものであって、トップシートにユーカリ抽出物を添加する例としては、様々な方法が考えられるが、適当な濃度のユーカリエキス中に不織布等のシートを含浸させたり、或いはスプレー塗布したり、或いはグラビアロールにより塗工することも可能である。
【００４７】
また、ユーカリエキスに界面活性剤を添加し、不織布等のシートへの浸透性を高めた上で含浸、スプレー、或いは塗工させても良く、この場合水溶液を発泡させ、クリーム状の塗工液として用いることも可能である。
或いは、ワセリン等の油性原料やグリセリン等の水性原料にユーカリエキスを添加し、これらを不織布等のシートに塗工することも可能である。
【００４８】
本発明において、ユーカリ抽出物のトップシートへの添加量はトップシートの乾燥重量に対して０．０００２〜０．２重量％であって、添加量が０．０００２重量％以下になると、保湿効果によるおむつかぶれ抑制作用が明確に発現されず、添加量が０．２％重量を越えるとおむつかぶれ抑制効果の増大は確認できず、また、使いすて製品に用いる場合においては製造コストがかかりすぎて好ましくない。
【００４９】
【実施例】
以下、実施例及び比較例に基づいて本発明を詳説する。本発明はこれにより限定されるものではない。実施例にて用いたユーカリエキスの調製法を以下に示す。
【００５０】
＜ユーカリエキスの調製法＞
乾燥、粉砕したユーカリプタスグロブラスの葉１００ｇに、９０％エタノール水溶液を２リットル加え、室温で浸漬した。２日後、抽出液を濾過し、得られた抽出液からエバポレーター及び減圧遠心により溶媒を留去し、約７．５ｇのエタノール抽出物を得た。更に、５０％エタノールで終濃度０．５重量％に調製後、濾過した溶液をユーカリエキスとして用いた。
【００５１】
本発明の実施例１〜８及び比較例１〜７として、ユーカリエキスを用いて、以下の含有率にてユーカリ抽出物を含有したティシュペーパー及びウェットティシュペーパーを作製した。
【００５２】
＜実施例１＞
市販のティシュペーパー（坪量１３ｇ／ｍ2×２枚重ね、ネピア(株)製商品名“ネピアティシュ２００Ｗコンパクト”）の一組（２６ｇ／ｍ2、これを１００重量％とする）に対し、ユーカリエキスをユーカリ抽出物の含有量が０．００２重量％となるように、ハンドスプレーで均一に噴霧し、湿潤させた後、全自動定温恒温器により８０℃で１時間乾燥させた。これを調湿箱(湿度６５％)に８時間以上放置して平衡状態になったサンプルを得た。（温度は２℃の前後を許容し、湿度は５％の前後を許容した。以下の実施例でも同様である。）
【００５３】
＜実施例２＞
ユーカリ抽出物の含有量が、０．０００３重量%である以外は実施例1と同様にしてサンプルを得た。
【００５４】
＜実施例３＞
ユーカリエキス含有量が、０．１５重量%である以外は実施例１と同様にしてサンプルを得た。
【００５５】
＜実施例４＞
市販の保湿ティシュペーパー（坪量１３ｇ／ｍ2×２枚重ね、ネピア(株)商品名“ネピアモイスチャーティシュ２００Ｗ”）の一組（２６ｇ／ｍ2、これを  １００重量％とする）に対し、ユーカリエキスをユーカリ抽出物の含有量が０．００２重量％となるように、ハンドスプレーで均一に噴霧し、湿潤させた後、全自動定温恒温器により、８０℃で１時間乾燥させた。これを調湿箱(湿度６５％)に８時間以上放置し、平衡状態になったサンプルを得た。
【００５６】
＜実施例５＞
ユーカリエキス含有量が０．１５重量％である以外は実施例４と同様にしてサンプルを得た。
【００５７】
＜実施例６＞
市販のウェットティシュ基材（目付５０ｇ／ｍ2、王子製紙(株)商品名“テクセルフラッシュ”）に対し、ユーカリ抽出物の濃度が０．０００２重量％となるようにユーカリエキスを精製水に希釈した含浸液を、ウェットティシュ基材の重量に対し２００重量％となるように含浸液を含浸し、保湿ウェットティシュを得た。このときウェットティシュ基材に対するユーカリ抽出物の含有量は０．０００４重量％であった。
【００５８】
＜実施例７＞
含浸液中のユーカリ抽出物の濃度が０．０７５重量％である以外は実施例６と同様にして保湿ウェットティシュを得た。このときのウェットティシュ基材に対するユーカリ抽出物の含有量は０．１５重量％であった。
【００５９】
＜実施例８＞
市販のウェットティシュ（ウェットティシュ基材の目付４０ｇ／ｍ2、含浸液の含浸量はウェットティシュ基材の目付に対し２５０％、(株)ネピア商品名“ネピアミッフィー＆フレンズおしりふき”）の１枚（ウェットティシュ基材４０ｇ／ｍ2、ウェットティシュ含浸液１００ｇ／ｍ2）に対し、ユーカリ抽出物の含有量がウェットティシュ基材重量あたり０．００２重量％となるように、ハンドスプレーで均一に噴霧し、保湿ウェットティシュを得た。
【００６０】
＜比較例１＞
ユーカリ抽出物の含有量が、０．０００１重量％である以外は実施例1と同様にしてサンプルを得た。
【００６１】
＜比較例２＞
ユーカリ抽出物の含有量が、０．３重量％である以外は実施例1と同様にしてサンプルを得た。
【００６２】
＜比較例３＞
市販のティシュペーパー（坪量１３ｇ／ｍ2×２枚重ね、ネピア(株)製商品名“ネピアティシュ２００Ｗコンパクト”）を、ユーカリ抽出物を含有させない状態でサンプルとした
【００６３】
＜比較例４＞
市販の保湿ティシュペーパー（坪量１３ｇ／ｍ2×２枚重ね、ネピア(株)商品名“ネピアモイスチャーティシュ２００Ｗ”）をユーカリ抽出物を含有させない状態でサンプルとした。
【００６４】
＜比較例５＞
含浸液中のユーカリ抽出物の濃度が０．００００７重量％である以外は実施例６と同様にして保湿ウェットティシュを得た。このときのウェットティシュ基材に対するユーカリ抽出物の含有量は０．０００１４重量％であった。
【００６５】
＜比較例６＞
含浸液中のユーカリ抽出物の濃度が０．１５重量％である以外は実施例６と同様にして保湿ウェットティシュを得た。このときのウェットティシュ基材に対するユーカリ抽出物の含有量は０．３重量％であった。
【００６６】
＜比較例７＞
市販のウェットティシュ（ウェットティシュ基材の目付４０ｇ／ｍ2、含浸液の含浸量はウェットティシュ基材の目付に対し２５０％、(株)ネピア商品名“ネピアミッフィー＆フレンズおしりふき”）を、ユーカリ抽出物を含有させずにサンプルとして用いた。
【００６７】
上記実施例１〜８、比較例１〜７で作成したサンプルについて、以下の要領でユーザーテストを行った。
【００６８】
ユーザーのグループ分け：
成人男性及び成人女性のモニターそれぞれ各２２５名（計４５０名）を、無作為にそれぞれ男性１５名、女性１５名（計３０名）の１５のグループに分けた。
【００６９】
グループ毎の使用サンプル：
ティシュモニターグループ
グループ  １    サンプルＡ：比較例４、サンプルＢ：比較例４
グループ  ２    サンプルＡ：実施例１、サンプルＢ：比較例４
グループ  ３    サンプルＡ：実施例２、サンプルＢ：比較例４
グループ  ４    サンプルＡ：実施例３、サンプルＢ：比較例４
グループ  ５    サンプルＡ：実施例４、サンプルＢ：比較例４
グループ  ６    サンプルＡ：実施例５、サンプルＢ：比較例４
グループ  ７    サンプルＡ：比較例４、サンプルＢ：比較例１
グループ  ８    サンプルＡ：比較例４、サンプルＢ：比較例２
グループ  ９    サンプルＡ：比較例４、サンプルＢ：比較例３
ウェットティシュモニターグループ
グループ１０    サンプルＡ：比較例７、サンプルＢ：比較例７
グループ１１    サンプルＡ：実施例６、サンプルＢ：比較例７
グループ１２    サンプルＡ：実施例７、サンプルＢ：比較例７
グループ１３    サンプルＡ：実施例８、サンプルＢ：比較例７
グループ１４    サンプルＡ：比較例５、サンプルＢ：比較例７
グループ１５    サンプルＡ：比較例６、サンプルＢ：比較例７
【００７０】
ユーザーテスト方法：
各サンプルを、それぞれ２週間続けて使用してもらい、使用感をアンケート調査した。サンプルＡとサンプルＢの使用順序は任意に選定してもらい、サンプルからサンプルへの切替え時は、１週間の使用空白期間を置いた後、切り替えることとした。
ティシュモニターグループは、おもに鼻をかんだりする際に使用し、肌のかさつき具合の多少を主眼に判定をおこなった。また、ウェットティシュモニターグループも顔や手肌の清拭に使用してもらい、同様に肌のかさつき具合の多少を主眼に判定を行った。
【００７１】
アンケートの結果、片方のサンプルの方が良いと答えたモニターの人数が５０％を超えた場合、或いは良いと答えたモニターの人数が４０％以上であって、良いと答えたモニターの人数とどちらも変わらないと答えた人数の合計が、モニターの８０％以上であった場合は、そのサンプルの使用感は良いと判定した。特に良いと答えたモニターの人数が５０％を超えたサンプルの使用感は、非常に高いものと判定出来る。
結果を表1及び表２に示す。
【００７２】
【表１】
0003794241.tif 000002
【００７３】
【表２】
0003794241.tif 000003
【００７４】
グループ１については、サンプル間で使用感に差は見とめられなかった。グループ２からグループ６の評価では、いずれも実施例にかかるサンプルのほうが、使用感がすぐれるという結果であった。とくにユーカリ抽出物含有量の高いサンプル（実施例１、３、５）を比較したグループ２、グループ４、グループ６の評価では、使用感は非常にすぐれるという判定が得られている。
グループ７、グループ９の結果からは、ユーカリ抽出物含有量が少なすぎる（比較例１）と、ユーカリ抽出物を含有させないサンプルと使用感に差が認められなくなるということがわかる。また、グループ８の結果からは、ユーカリ含有量が多すぎても（比較例２）、その効果は本発明の実施例にかかるサンプルと比べて大きく変わらず、不経済であるといえる。
グループ１０については、サンプル間で使用感に差は見とめられなかった。グループ１１から１３の評価では、いずれも実施例にかかるサンプルのほうが使用感にすぐれるという結果が得られた。とくにユーカリ抽出物含有量の高い実施例７、８を評価したグループ１２、１３の評価では、使用感は非常にすぐれるという結果が得られている。
グループ１４の結果からは、ユーカリ抽出物の含有量が少なすぎる場合、その使用感はユーカリ抽出物を配合しないサンプルと比較して、大差ないという評価が得られている。またグループ１５の結果からは、ユーカリ抽出物の含有量が多すぎても、実施例にかかるサンプルと、その使用感は大差なく、不経済であることがわかる。
【００７５】
本発明の保湿シートを乳児用或いは成人失禁者用の使いすて吸収性物品に用いる手段としては、この製品が着用者の肌に直接触れる部分に用いることが最も好ましい実施例である。
【００７６】
本発明の実施例９〜１２及び比較例８〜１０として、ユーカリエキスを用いて、以下の含有率にてユーカリ抽出物を含有したトップシート及び乳幼児用使いすておむつを作製した。
【００７７】
＜実施例９＞
ポリプロピレンを原料とする繊維径１．８ｄｔｅｘの連続長繊維から成る坪量が２５ｇ／ｍ2のスパンボンド不織布を作製し、界面活性剤により親水化処理を施した後、ユーカリ抽出物が不織布に対して０．０００２重量％含有するように付着させて作製したトップシートを用い、乳幼児用使いすておむつ（商品名：ドレミファイン、王子製紙株式会社製）Ｌサイズを作製し、実施例９とした。
【００７８】
＜実施例１０＞
実施例９で用いたスパンボンド不織布を用い、ユーカリ抽出物が不織布に対して０．００２重量％含有するように付着させて作製したトップシートを用い、実施例９と同様に乳幼児用使いすておむつＬサイズを作製し、実施例１０とした。
【００７９】
＜実施例１１＞
実施例９で用いたスパンボンド不織布を用い、ユーカリ抽出物が不織布に対して０．０２重量％含有するように付着させて作製したトップシートを用い、実施例９と同様に乳幼児用使いすておむつＬサイズを作製し、実施例１１とした。
【００８０】
＜実施例１２＞
実施例９で用いたスパンボンド不織布を用い、ユーカリ抽出物が不織布に対して０．２重量％含有するように付着させて作製したトップシートを用い、実施例９と同様に乳幼児用使いすておむつＬサイズを作製し、実施例１２とした。
【００８１】
＜比較例８＞
実施例９で用いたスパンボンド不織布を用い、ユーカリ抽出物を含まずに作製したトップシートを用い、実施例９と同様に乳幼児用使いすておむつＬサイズを作製し、比較例８とした。
【００８２】
＜比較例９＞
実施例９で用いたスパンボンド不織布を用い、ユーカリ抽出物が不織布に対して０．０００１５重量％含有するように付着させて作製したトップシートを用い、実施例９と同様に乳幼児用使いすておむつＬサイズを作製し、比較例９とした。
【００８３】
＜比較例１０＞
実施例９で用いたスパンボンド不織布を用い、ユーカリ抽出物が不織布に対して０．２５重量％含有するように付着させて作製したトップシートを用い、実施例９と同様に乳幼児用使いすておむつＬサイズを作製し、比較例１０とした。
上記実施例９〜１２、比較例８〜１０で作製した使いすておむつについて、以下の要領でユーザーテストを行った。
【００８４】
ユーザーのグループ分け：
赤ちゃん用おむつＬサイズ使用中の赤ちゃん３９０名（平均月齢１８ヶ月）を無作為に各々３０名ずつ１３のグループに分けた。
【００８５】
グループ毎の使用おむつ：
各グループ別に１人２種類ずつの使いすておむつ（Ａ、Ｂ）を配布した。
グループ  １    おむつＡ：比較例８、おむつＢ：比較例８
グループ  ２    おむつＡ：実施例９、おむつＢ：比較例８
グループ  ３    おむつＡ：比較例８、おむつＢ：実施例９
グループ  ４    おむつＡ：実施例１０、おむつＢ：比較例８
グループ  ５    おむつＡ：比較例８、おむつＢ：実施例１０
グループ  ６    おむつＡ：実施例１１、おむつＢ：比較例８
グループ  ７    おむつＡ：比較例８、おむつＢ：実施例１１
グループ  ８    おむつＡ：実施例１２、おむつＢ：比較例８
グループ  ９    おむつＡ：比較例８、おむつＢ：実施例１２
グループ１０    おむつＡ：比較例９、おむつＢ：比較例８
グループ１１    おむつＡ：比較例８、おむつＢ：比較例９
グループ１２    おむつＡ：比較例１０、おむつＢ：比較例８
グループ１３    おむつＡ：比較例８、おむつＢ：比較例１０
【００８６】
比較テスト方法：
各々、おむつＡ、おむつＢの順序でそれぞれ１０日間ずつおむつを使用してもらい、母親におむつかぶれの起こりやすさについて比較回答を得た。
この結果は表３に示した。
【００８７】
【表３】
0003794241.tif 000004
【００８８】
比較テストの結果、おむつＡとおむつＢとの比較でかぶれにくいと判断した人の数の比が２倍以上認められた場合、使用感に差があると判断した。
また、かぶれにくいと判断した人の数がどちらも変わらないとした人の数を上回った場合はかぶれに対する効果が十分に現れていると判断できる。
グループ１、グループ１０、及びグループ１１ではおむつＡ、おむつＢ間においてかぶれにくさにおける明確な差は見られなかった。
グループ２〜グループ９ではグループ間で多少の差があるものの、いずれのグループにおいても実施例９〜１２のおむつの方がかぶれにくいと評価されており、ユーカリ抽出物の添加量が多くなるにしたがって比較例８とのかぶれにくさの差が広がっている。
また、比較例１０を評価したグループ１２、及びグループ１３においては、グループ８、及びグループ９の評価と殆ど変わらない結果となった。
【００８９】
比較試験の回答結果から、ユーカリ抽出物を不織布に対して０．０００２〜０．２重量％含有させたトップシートを使用したおむつは、おむつかぶれの発生が抑えられる効果が確認され、含有量を０．２重量％以上としても、それ以上の効果は確認されなかった。
【００９０】
【発明の効果】
本発明で得られるユーカリ抽出物を含有するティシュペーパー等を用いることで、皮膚のバリア機能が高まり、肌荒れ及び炎症の予防・軽減が可能となる。また、保湿シートを乳児用或いは成人失禁者用の使いすておむつの表面材として用いることにより、おむつの肌に対する物理的刺激を緩和し、おむつかぶれや肌荒れ等に対して有効である。